(57)【特許請求の範囲】
【請求項１】
マルチキャストによりデータを配信する通信システムであって、
複数の基地局と、
前記データを配信すべき配信先住所の情報を指定して送信する第一の端末と、
前記配信先住所の情報に基づいて前記データの転送先の基地局を前記複数の基地局から選択して、前記選択された基地局に前記データを転送する通信制御装置と、
前記選択された基地局から送信された前記データを、前記選択された基地局のセル内において、前記配信先住所の情報に基づいて決定され前記配信先住所に対応する地点で受信可能な第二の無線端末と、を備え、
前記選択された基地局は、当該基地局の緯度と経度と高度、及び、前記配信先住所に対応する地点の緯度と経度と高度に基づいて電波を送信する方向を決定し、前記決定された方向に前記データを無線送信することを特徴とすることを特徴とする通信システム。
【請求項２】
マルチキャストによりデータを配信する通信システムであって、
複数の基地局と、
前記データを配信すべき配信先住所の情報に基づいて前記データの転送先の基地局を前記複数の基地局から選択して、前記選択された基地局に前記データを転送する通信制御装置と、を備え、
前記選択された基地局は、そのセル内において、当該基地局の緯度と経度と高度、及び、前記配信先住所に対応する地点の緯度と経度と高度に基づいて電波を送信する方向を決定し、前記決定された方向に前記転送されたデータを無線送信することを特徴とする通信システム。
【請求項３】
前記選択された基地局は、当該基地局の緯度と経度と高度、及び、前記地点の緯度と経度と高度に基づいて、前記データを送信する電力を決定する請求項１または２に記載の通信システム。
【請求項４】
前記通信制御装置は、
住所と少なくとも緯度と経度を対応付ける対応付け情報を格納し、
前記配信先住所の情報に対応する緯度と経度を決定し、
前記配信先住所の情報に対応する緯度と経度を、それぞれ前記複数の基地局の緯度と経度に対して比較することによって、前記転送先の基地局を前記複数の基地局から選択することを特徴とする請求項１または２に記載の通信システム。
【請求項５】
前記第二の無線端末は、ＧＰＳによって得た前記第二の無線端末の緯度と経度と高度を、それぞれ、前記配信先住所に対応する地点の緯度と経度と高度に対して比較して、前記第二の無線端末が前記データを受信すべき受信対象地域に含まれるか判断し、前記第二の無線端末は前記受信対象地域に含まれる場合に前記データを受信することを特徴とする請求項１に記載の通信システム。
【請求項６】
前記選択された基地局が複数のセクタ又は複数のセクタセルを有する場合に、当該基地局は一つのセクタ又はセクタセルを選択し、前記選択されたセクタ又はセクタセルに対応するアンテナから前記データを無線送信することを特徴とする請求項１または２に記載の通信システム。
【請求項７】
マルチキャストによりデータを配信する通信方法であって、
第一の端末が、前記データを配信すべき配信先住所の情報を指定して送信するステップと、
通信制御装置が、前記配信先住所の情報に基づいて前記データの転送先の基地局を複数の基地局から選択して、前記選択された基地局に前記データを転送するステップと、
前記選択された基地局が、当該基地局の緯度と経度と高度、及び、前記配信先住所に対応する地点の緯度と経度と高度に基づいて電波を送信する方向を決定し、前記決定された方向に前記データを無線送信するステップと、
第二の無線端末が、前記選択された基地局から無線送信された前記データを、前記選択された基地局のセル内において、前記配信先住所の情報に基づいて決定され前記配信先住所に対応する地点で受信するステップと、
を含むことを特徴とする通信方法。
【請求項８】
マルチキャストによりデータを配信する通信方法であって、
通信制御装置が、前記データを配信すべき配信先住所の情報に基づいて前記データの転送先の基地局を前記複数の基地局から選択して、前記選択された基地局に前記データを転送するステップと、
前記選択された基地局が、そのセル内において、当該基地局の緯度と経度と高度、及び、前記配信先住所に対応する地点の緯度と経度と高度に基づいて電波を送信する方向を決定し、前記決定された方向に前記転送されたデータを無線送信するステップと、
を含むことを特徴とする通信方法。
【請求項９】
前記選択された基地局は、当該基地局の緯度と経度と高度、及び、前記地点の緯度と経度と高度に基づいて、前記データを送信する電力を決定する請求項７または８に記載の通信方法。
【発明の詳細な説明】
【技術分野】
【０００１】
本発明は、通信システム及び通信方法に関する。特に本発明は、マルチキャストサービスのための通信システム及び通信方法に関する。
【背景技術】
【０００２】
移動体通信システムに適用されるマルチキャストサービスは、少ない無線リソースを使って多数の移動体端末に情報を配信することができる。マルチキャストサービスは、基地局から送信されたデータを複数の端末が同時に受信することによって、複数の端末に対して同時に同じサービスを提供する。なお、マルチキャストサービスは、マルチキャスト・ブロードキャストサービスと呼ばれ、マルチキャストサービスは、ブロードキャストサービスも含む概念である。マルチキャストサービスの規格として、３ＧＰＰ(３ｒｄ Ｇｅｎｅｒａｔｉｏｎ Ｐａｒｔｎｅｒｓｈｉｐ Ｐｒｏｊｅｃｔ)標準化団体においてＭＢＭＳ（ｍｕｌｔｉｍｅｄｉａ ｂｒｏａｄｂａｎｄ ｍｕｌｔｉｃａｓｔ Ｓｅｒｖｉｃｅ）の規格化が、３ＧＰＰ２(３ｒｄ Ｇｅｎｅｒａｔｉｏｎ Ｐａｒｔｎｅｒｓｈｉｐ Ｐｒｏｊｅｃｔ  ２) 標準化団体においてＢＣＭＣＳ（Ｂｒｏａｄｃａｓｔ／Ｍｕｌｔｉｃａｓｔ  Ｓｅｒｖｉｃｅｓ）の規格化が、行われた（非特許文献１、２、３参照）。
【０００３】
前述したＬＴＥ（Ｌｏｎｇ Ｔｅｒｍ Ｅｖｏｌｕｔｉｏｎ）のマルチキャストシステムは、ネットワーク主導の接続方式を採用しており、ＢＭ−ＳＣ(ブロードキャスト／マルチキャストサービスセンタ)からＭＢＭＳ ＧＷ（マルチメディアブロードバンドマルチキャストサービスゲートウェイ）などを介して基地局であるＮｏｄｅＢに対して接続を要求して接続する。接続要求は、コンテンツデータのマルチキャストＩＰアドレスを含み、ＭＢＭＳ ＧＷは指示されたマルチキャストＩＰアドレスに対してコンテンツデータを受信できる。コンテンツデータは、コンテンツプロバイダより送信され、ＭＢＭＳ ＧＷを介して、基地局へと送信される。基地局は、マルチキャストＩＰアドレスに対応するコンテンツデータを受信して、ＭＢＭＳサービスエリアの情報を使用してコンテンツデータを配信する。端末は、基地局から報知される制御情報であるＳＩＢ（Ｓｙｓｔｅｍ Ｉｎｆｏｒｍａｔｉｏｎ Ｂｌｏｃｋ）の情報からコンテンツデータの配信に関する情報を取得し、コンテンツデータを受信する。
【０００４】
その他の従来技術として、特許文献１、２は、各通信ゾーンに配置して車両と通信する基地局と、複数の基地局を統括する基地集中局と、基地集中局にサービス情報を提供するサービスセンタとを備える通信システムを開示する。サービスセンタから基地集中局へのサービス情報の伝送フォーマットに基地局識別符号を付加し、基地集中局においてサービス情報を配信すべき基地局を特定することにより、各通信ゾーン単位で通信ゾーン内に存在する車両に対して同一のサービス情報を送信できる。
【０００５】
特許文献２のブロードキャスト装置は、配信地域（エリア）及び緊急情報を含む緊急情報通知メッセージを、配信地域に対応する交換局に対して送信する。交換局は、接続されている全ての無線基地局に対して、受信した緊急情報通知メッセージを転送する。
【先行技術文献】
【特許文献】
【０００６】
【特許文献１】特開２００２-２６９６８２号公報
【特許文献２】特開２００９-３０３１７４号公報
【非特許文献】
【０００７】
【非特許文献１】３ＧＰＰ標準ＴＳ２２．１４６
【非特許文献２】３ＧＰＰ２標準Ｃ．Ｓ００５４
【非特許文献３】３ＧＰＰ標準ＴＳ２３．１４６
【発明の概要】
【発明が解決しようとする課題】
【０００８】
しかしながら、マルチキャストで配信するコンテンツの種類によっては特定地域に限定した配信を望むコンテンツがある。前述の従来のマルチキャストサービスにおいて、あるユーザがある地域にコンテンツデータを配信したい場合に、ユーザはその地域の住所情報については容易に得ることができるが、その地域に在圏するユーザの情報を取得することができない。このため、ある地域に送信したいユーザが存在することが分かっていてもその地域のユーザに限定してコンテンツデータを配信することができなかった。
【０００９】
例えば、東京の「ＡＢＣ」というマンションの建物の中にいるユーザに対して音声データをマルチキャストして音声案内することが望まれる場合、マンション「ＡＢＣ」の住所は容易に調べることはできる。しかし、マンション「ＡＢＣ」内にある端末の情報、たとえば電話番号やメールアドレスを取得することはできないため、音声案内の送信を実現することはできなかった。
【００１０】
また、従来のマルチキャストサービスにおいて、物理的な観点では、ＭＢＭＳサービスエリアの情報によりコンテンツデータを配信する基地局または基地局内のセルを選択して、データを送信する地域を基地局又は基地局内のセル単位で構築することは可能である。しかし、セル内の特定の地域（エリア）に対して送信する手法は、定義されていない。また、基地局又は基地局内のセル単位で、基地局又は基地局内のセルに在圏する複数の端末に対してコンテンツデータが配信される。
【００１１】
このため、在圏する複数の端末で受信可能とするため、電波の受信環境の悪い端末でもコンテンツデータを受信できるよう、データの配信レートを低く保つ必要がある。また、データを送信する地域を基地局または基地局内のセル単位で構築するため、基地局又は基地局内のセル内の特定の地域に存在する端末のみに限定してコンテンツデータを配信することができなかった。
【００１２】
本発明の目的は、データを送信する地域に存在する端末の情報を特定することなく、特定の住所の地域に対してデータを配信することである。
【課題を解決するための手段】
【００１３】
本発明の代表的な一例を示せば以下の通りである。すなわち、マルチキャストによりデータを配信する通信システムであって、複数の基地局と、前記データを配信すべき配信先住所の情報を指定して送信する第一の端末と、前記配信先住所の情報に基づいて前記データの転送先の基地局を前記複数の基地局から選択して、前記選択された基地局に前記データを転送する通信制御装置と、前記選択された基地局から送信された前記データを、前記選択された基地局のセル内において、前記配信先住所の情報に基づいて決定され前記配信先住所に対応する地点で受信可能な第二の無線端末と、を備え、前記選択された基地局は、当該基地局の緯度と経度と高度、及び、前記配信先住所に対応する地点の緯度と経度と高度に基づいて電波を送信する方向を決定し、前記決定された方向に前記データを無線送信することを特徴とする通信システムである。
【発明の効果】
【００１４】
本発明の第一実施形態によると、データを送信する地域（又は地点）に存在する端末の情報を特定することなく、特定の住所の地域（又は地点）に対してデータを配信できる。
【図面の簡単な説明】
【００１５】
【図１】実施形態に係る通信システムの構成を示す構成図である。
【図２】実施形態に係る通信制御装置の構成を示すブロック図である。
【図３】実施形態に係る基地局の構成を示すブロック図である。
【図４】実施形態に係る無線端末の構成を示すブロック図である。
【図５】通信制御装置が格納する基地局情報テーブルを例示する図である。
【図６】通信制御装置が格納する住所情報データベースの例示する図である。
【図７】通信制御装置が格納する配信情報テーブルを例示する図である。
【図８】基地局が格納する基地局情報テーブルを例示する図である。
【図９】基地局が格納する配信情報テーブルを例示する図である。
【図１０】基地局情報の登録方法を例示するシーケンス図である。
【図１１】データの配信方法を例示するシーケンス図である。
【発明を実施するための形態】
【００１６】
図１は、実施形態に係る移動体通信システムを示す。移動体通信システムは、マルチキャストによりデータを配信する通信システムの一例として示すものであり、本発明は移動体通信システムに限定されるものではない。
【００１７】
移動体通信システムは、基地局１１０、１１１、１１２、１１３と、通信制御装置１２０と、無線端末１００、１０１（移動局）とを備える。本実施形態では、基地局１１０、１１１、１１２、１１３と通信制御装置１２０は、例えば光ファイバなどの専用回線で接続されている。基地局１１０、１１１、１１２、１１３のうちのいずれか一つは、配信元の無線端末１００から受信した配信データ（配信すべきコンテンツデータ）と配信先住所の情報とを、通信制御装置１２０へ送信する。通信制御装置１２０は、さらに配信データを配信する基地局に対して、配信データを転送する。データが転送されている基地局のセル内に在圏する無線端末１０１は、配信先住所に対応する受信対象地域に含まれていた場合、配信データを受信する。
【００１８】
図２は、通信制御装置１２０の構成を示すブロック図である。通信制御装置１２０は、ＭＰＵ１６１（マイクロプロセッサユニット）、メモリ１６２、回線インタフェース１６３、基地局情報テーブル１５１（後述の図５）、住所情報データベース１５２（後述の図６）、配信情報テーブル１５３（後述の図７）を備え、これらは互いに通信できるよう接続バス１６４で接続されている。回線インタフェース１６３は、例えば専用回線を介して基地局１１０、１１１、１１２、１１３と通信する。これらのテーブルとデータベースは、半導体メモリやハードディスク等の記憶装置（又は記憶部）に格納されてよい。
【００１９】
通信制御装置１２０は、住所情報データベース１５２と基地局情報テーブル１５１を参照して、無線端末１００から送られた配信先住所の情報に基づいて、配信データを配信すべき配信先住所（配信地域または地点）に対応しこれをカバーする基地局を検索する。通信制御装置１２０は、受信した配信データを検索した基地局１１０、１１１、１１２、１１３に転送する。詳細には、通信制御装置１２０は、配信先住所の情報に基づいて、住所情報データベース１５２を参照して、配信先住所に対応する地点（又は地域）の緯度と経度と高度を求める。さらに、通信制御装置１２０は、基地局情報テーブル１５１を参照して、求めた緯度と経度と高度から配信先住所に対応する基地局を選択する。
【００２０】
図３は、各基地局１１０、１１１、１１２、１１３の構成を示すブロック図である。各基地局１１０、１１１、１１２、１１３は、主信号処理部２００を備える。主信号処理部２００は、複数の無線アナログ部（セクタ）２２０、２２１、２２２と、制御部２０１と、ＧＰＳ（global positioning system）レシーバ部２０２と、ディジタル信号処理部２３０と、回線インタフェース部２３１とを備える。
【００２１】
制御部２０１は、ＭＰＵ２３５（マイクロプロセッサユニット）、メモリ２３６、入出力インターフェース（Ｉ／Ｏ）２３７、基地局情報テーブル２４０、配信情報テーブル２４１を備える。これらのテーブルは、半導体ディスクやハードディスク等の記憶装置（又は記憶部）に格納されてよい。制御部２０１は、ディジタル信号処理部２３０を介して各無線アナログ部２２０、２２１、２２２と接続され、主に呼処理を行う。基地局情報テーブル２４０は、基地局の情報を管理する。配信情報テーブル２４１は、データの配信に関する配信情報を管理する。制御部２０１は、入出力インターフェース（Ｉ／Ｏ）２３７によって、外部と信号を授受する。
【００２２】
制御部２０１は、入出力インターフェース（Ｉ／Ｏ）２３７を介して、ＧＰＳレシーバ部２０２に接続する。ＧＰＳレシーバ部２０２は、ＧＰＳアンテナを介してＧＰＳ衛星の信号を受信し、基地局の緯度と経度と高度の情報を得ることができる。ディジタル信号処理部２３０は、上り信号の復調及び下り信号を変調するユニットである。回線インタフェース２３１は、制御部２０１と通信制御装置１２０を通信させるためのインタフェースである。
【００２３】
本実施形態において、無線アナログ部２２０、２２１、２２２の数は三つである。各無線アナログ部２２０、２２１、２２２は、基地局の中心とする円周方向に関してセルを等分割して設けられた扇形状の複数のセクタ（又はセクタセル）の一つに対応する。即ち、具体的には、三つの無線アナログ部２２０、２２１、２２２は、それぞれ、第一のセクタ（セクタ１）、第二のセクタ（セクタ２）、第三のセクタ（セクタ３）に対応する。また、無線アナログ部２２０、２２１、２２２は、同じ構成を備える。
【００２４】
第一の無線アナログ部２２０は、アンテナ２２０ａ（セクタアンテナ）、受信部２２０ｂ、及び、送信部２２０ｃを備える。アンテナ２２０ａは、セクタ１に電波を送信する。第二の無線アナログ部２２１は、アンテナ２２１ａ、受信部２２１ｂ、及び、送信部２２１ｃを備える。アンテナ２２１ａ（セクタアンテナ）は、セクタ２に電波を送信する。第三の無線アナログ部２２２は、アンテナ２２２ａ、受信部２２２ｂ、及び、送信部２２２ｃを備える。アンテナ２２２ａ（セクタアンテナ）は、セクタ３に電波を送信する。基地局１１０、１１１、１１２、１１３の無線アナログ部は、無線端末１００、１０１と無線通信によって信号を送受信できる。
【００２５】
アンテナ２２０ａ、２２１ａ、２２２ａは、指向性アンテナであり、特に、水平面内及び／又は垂直面内において電波ビームの送信方向を調整できるアレイアンテナであるとよい（特開２００２−９４４４８号公報、特開２０００−７８０７２号公報等参照）。
【００２６】
無線アナログ部の受信部２２０ｂ、２２１ｂ、２２２ｂは、例えば、電子回路からなり、無線端末１００、１０１から送信される上り信号を各々のアンテナ２２０ａ、２２１ａ、２２２ａを介して受信し、受信したアナログ信号をディジタル信号に変換し、ディジタル信号処理部２３０に送信する。各無線アナログ部は、図３のように、複数のアンテナを用いてダイバシティ方式で電波を受信することもできる。
【００２７】
無線アナログ部の送信部２２０ｃ、２２１ｃ、２２２ｃは、例えば、電子回路からなり、ディジタル信号処理部２３０から送られる下り信号をディジタル信号からアナログ信号に変換して、アンテナ２２０ａ、２２１ａ、２２２ａを介して電波に変換して無線端末１００、１０１に送信する。また、送信部２２０ｃ、２２１ｃ、２２２ｃは、制御部２０１からの指示に応じて、アンテナ２２０ａ、２２１ａ、２２２ａの電波の送信方向と送信電力の大きさを調整できる。アンテナ２２０ａ、２２１ａ、２２２ａがアレイアンテナの場合に、送信部２２０ｃ、２２１ｃ、２２２ｃは、アンテナ２２０ａ、２２１ａ、２２２ａ内の複数のアンテナ素子への給電位相条件を変化させることなどによってアンテナの電波の送信方向を変えられる。
【００２８】
基地局１１０、１１１、１１２、１１３の制御部２０１は、基地局情報テーブル２４０（後述の図８）、及び、配信情報テーブル２４１（後述の図９）を備えており、通信制御装置１２０から受信した配信先の緯度と経度と高度の情報からセル内での送信方向と送信電力を決定し、データを無線送信する。制御部２０１は、配信先の緯度と経度と高度、及び、基地局の緯度と経度と高度から電波の送信方向を決定する。また、制御部２０１は、配信先と基地局の間の緯度差と経度差と高度差から電波の送信距離を演算して、電波の送信距離に応じた送信電力を決定できる。
【００２９】
制御部２０１は、決定された送信方向に基づいて、セクタとこれに対応する無線アナログ部を選択する。さらに制御部２０１は、選択された無線アナログ部のアンテナが所定の方向に電波を送信するように、このアンテナへの給電位相条件を調整できる。なお、セクタの数が多い場合には、セクタの選択によって水平面内において電波の送信方向はほぼ定まるため、制御部２０１は、垂直面内において電波の送信方向（チルト角）を調整するだけよく、水平面内において電波の送信方向を調整しなくてもよい。また、配信先の緯度と経度だけを用いて高度を使用しない場合には、垂直面内において電波の送信方向を調整する必要はない。
【００３０】
また、基地局間でＧＰＳの情報（時刻信号）を使用して時刻同期することで、複数の基地局（例えば、１１１、１１２）からマルチキャストチャネルを使用して同一のデータを同タイミングで送信することもできる。無線端末１０１は、複数の基地局から送信されたデータを合成（ソフトコンバイン）して受信できる。この受信データの合成では、無線端末１０１は、複数の基地局で同タイミングに送信された同一のデータを合成して復元し、良好でない受信環境でもデータを受信することができる。
【００３１】
図４は、各無線端末１００、１０１の構成の一例を示すブロック図である。各無線端末１００、１０１は、通信アンテナ４０１と、無線通信部４０２と、スピーカ４０３と、マイク４０４と、音声回路４０５と、入力部４０６と、表示部４０７と、制御部４０８と、メモリ４０９と、ＧＰＳアンテナ４１０と、ＧＰＳレシーバ部４１１とを備える。
【００３２】
通信アンテナ４０１は、基地局１１０、１１１、１１２、１１３と無線通信するためのアンテナである。配信元の無線端末１００は、通信アンテナ４０１を介して、基地局に無線接続して、端末ＩＤ、配信データ、及び、配信先住所の情報を送信し、サービスＩＤなどを基地局１１０から受信できる。ここで、端末ＩＤは、端末を識別する識別子又は識別情報であり、サービスＩＤは、サービスを識別する識別子又は識別情報である。無線端末１０１は、通信アンテナ４０１を介して、配信データ及び配信先の緯度と経度と高度の情報を受信できる。
【００３３】
無線通信部４０２は、無線通信に必要な処理、例えばデジタル−アナログ変換、アナログ−デジタル変換、変調、復調などを行う。スピーカ４０３は、音声信号を音声として出力する。マイク４０４は、配信すべき音声信号を取得する。音声回路４０５は、受信した音声信号をスピーカ４０３に出力可能な信号に変換したり、マイク４から入力された音声信号を配信可能な音声データに変換する。無線端末１００が配信するコンテンツデータが音声データであれば、マイク４０４から音声データを無線端末１００に入力できる。
【００３４】
入力部４０６は、ユーザが種々のモードを設定操作したり、配信する文字情報のコンテンツデータを作成したり、発呼や応答などの種々の端末操作を行うための操作部（例えば、キー又はボタン）である。入力部４０６は、ユーザの操作によってデータを配信すべき住所の情報を受け取ることによって、無線端末１００は配信先の住所の情報を指定できる。表示部４０７は、前記の端末操作のために必要な情報を表示する。制御部４０８は、例えば、プログラムを実行するＣＰＵやプログラムを格納するメモリ等から構成され、無線端末１００、１０１の各部の動作を制御する。
【００３５】
メモリ４０９は、データを一時的又は永続的に記憶する。例えば、メモリ４０９は、ユーザが作成した文字情報などのコンテンツデータを記憶できる。また、メモリ４０９は、入力部４０６から入力された配信先の住所の情報を記憶し、表示部４０７は記憶された住所の情報をメニュー表示して、ユーザは配信先の住所の情報を入力部４０６によって選択することもできる。また、メモリ４０９は、文字情報、画像、動画などのコンテンツデータを記憶し、表示部４０７は記憶されたコンテンツデータの情報（タイトルなど）をメニュー表示をして、ユーザは配信すべきコンテンツデータを入力部４０６によって選択することができる。さらに、無線端末１０１において、メモリ４０９は、配信されたコンテンツデータを記憶することもできる。
【００３６】
ＧＰＳレシーバ部４１１は、ＧＰＳアンテナ４１０を介してＧＰＳ衛星からの信号を受信し、各無線端末１００、１０１の緯度と経度と高度の情報を得ることができる。
【００３７】
図５は、通信制御装置１２０が保持している基地局情報テーブル１５１の一例を示す。通信制御装置１２０は、基地局情報テーブル１５１において、各基地局１１０、１１１、１１２、１１３から通知された各基地局１１０、１１１、１１２、１１３の緯度と経度と高度の情報を各基地局１１０、１１１、１１２、１１３を識別するＩＤ情報（基地局ＩＤ）と対応付けて管理する。なお、図５において、緯度と経度は、度・分・秒・１０００分の1秒をピリオドで区切って表記され、高度はメートルの単位で表されている（図６−図９も同じ）。
【００３８】
図６は、通信制御装置１２０が保持している住所情報データベース１５２の一例である。通信制御装置１２０は、住所情報データベース１５２において、配信データの配信先の住所の情報に対して緯度と経度と高度を対応付けるマッピング情報（対応付け情報）を管理する。なお、図６のように、住所は、大まかな地域を表す郵便番号とその他詳細情報（丁、番地、号など）との組合せによって表すことができる。
【００３９】
図７は、通信制御装置１２０が保持している配信情報テーブル１５３の一例である。通信制御装置１２０は、配信情報テーブル１５３において、無線端末１００から要求されたサービスを管理するためのサービスＩＤと、要求を出した無線端末１００を識別するＩＤ情報（端末ＩＤ）と、無線端末１００から指定された配信先の住所と、配信先の住所に相当する緯度と経度と高度を対応付けて管理する。
【００４０】
図８は、基地局１１０、１１１、１１２、１１３が保持している基地局情報テーブル２４０の一例である。基地局１１０、１１１、１１２、１１３は、それぞれ、基地局情報テーブル２４０において、自身のＩＤ情報と、自身の緯度と経度と高度とを対応付けて管理する。
【００４１】
図９は、基地局１１０、１１１、１１２、１１３が保持している配信情報テーブル２４１の一例である。基地局１１０、１１１、１１２、１１３は、それぞれ、配信情報テーブル２４１において、通信制御装置１２０で指定された配信データのサービスＩＤと配信データの配信先の緯度、経度、高度の情報とを対応付けて管理する。
【００４２】
図１０は、通信制御装置１２０が各基地局の情報を登録する方法を説明する処理シーケンス図である。
【００４３】
ステップＳ１０において、各基地局１１０、１１１、１１２、１１３は、起動する。次に、ステップＳ１１において、各基地局１１０、１１１、１１２、１１３は、通信制御装置１２０に対して、各基地局の情報を登録することを要求するための登録要求９１０を送信する。基地局情報の登録要求９１０は、自基地局のＩＤ情報、及び、自基地局の緯度と経度と高度の情報とを含む。自基地局の緯度と経度と高度の情報は、予め基地局のメモリ２３６等に格納されてもよいし、又、ＧＰＳレシーバ部２０２から得られてよい。
【００４４】
ステップＳ１２において、通信制御装置１２０は、基地局情報の登録要求９１０を受信する。ステップＳ１３において、通信制御装置１２０は、受信した基地局のＩＤ情報、及び、基地局の緯度と経度と高度の情報を基地局情報テーブル１５１に登録する。ステップＳ１４において、登録後、通信制御装置１２０は、基地局の情報の登録が完了したことを示す登録完了応答９３０を各基地局に送信する。登録完了応答には登録要求９１０を送った基地局のＩＤ情報を含める。ステップＳ１５において、各基地局１１０、１１１、１１２、１１３は、通信制御装置１２０からの登録完了応答を受信する。
【００４５】
図１１は、データ配信の方法を説明する処理シーケンス図である。
【００４６】
ステップＳ２０において、データの配信を要求する要求元の無線端末１００は、ユーザの操作などに基づいて、配信データを配信すべき配信先住所を指定する。ステップＳ２１において、無線端末１００は、それが在圏している基地局１１０に対して、データ配信要求１０１０を送信する。データ配信要求１０１０は、無線端末１００自身のＩＤ情報と配信先住所の情報とを含む。
【００４７】
ステップＳ２２において、基地局１１０は、無線端末１００からデータ配信要求１０１０を受信する。ステップＳ２３において、基地局１１０は、通信制御装置１２０に対して、受信したデータ配信要求１０１１を転送する。データ配信要求１０１１は、データの配信を要求する無線端末１００のＩＤ情報と配信先住所の情報とを含む。
【００４８】
ステップＳ２４において、通信制御装置１２０は、データ配信要求１０１１を受信する。ステップＳ２５において、通信制御装置１２０は、住所情報データベース１５２を参照し、受信した配信先住所に対応する配信先の緯度と経度と高度（配信先住所に対応する地点又は地域）の情報を取得する。
【００４９】
ステップＳ２６において、通信制御装置１２０は、基地局情報テーブル１５１を参照し、配信先の緯度と経度と高度の地点に近く、その地点をセル内に含む基地局をデータ転送先（又は配信先）の基地局として選択する。無線端末１０１がデータをソフトコンバインして受信する場合などにおいて、基地局は、配信先の緯度と経度と高度の地点に近い順に複数選択されてもよい。なお、通信制御装置１２０は、配信先の緯度と経度と高度の地点に最も近い基地局だけを選択されてもよいし、配信先の緯度、経度、高度の地点から所定距離（例えば、セル半径）内にある基地局をすべて選択してもよい。また、通信制御装置１２０は、配信先の緯度と経度だけに基づいて基地局を選択し、基地局情報テーブル１５１は、配信先の高度の情報を持たないようにしてもよい。
【００５０】
ステップＳ２７において、通信制御装置１２０は、データの配信を要求した無線端末１００のＩＤ情報と、配信先の住所の情報と、ステップＳ２５で取得した配信先の緯度と経度と高度の情報と、ステップＳ２６で選択された配信先の基地局の情報とを、配信情報として配信情報テーブル１５３に登録する。さらに、通信制御装置１２０は、登録する際に、配信情報を管理するために、配信情報にサービスＩＤ（サービス識別子）を割り当て、配信情報とサービスＩＤとを対応付ける。サービスＩＤは、データの転送先（配信先）の基地局に対して、通信制御装置１２０内でユニーク（特有）となるように割り当てられる。ステップＳ２８において、通信制御装置１２０は、ステップＳ２６で選択された基地局１１１、１１２に対してデータ配信要求１０３０を送信する。データ配信要求１０３０は、対応するサービスＩＤ、及び、配信先の緯度と経度と高度の情報とを含む。
【００５１】
ステップＳ２９において、ステップＳ２６で選択された基地局１１１、１１２は、データ配信要求１０３０を受信する。ステップＳ３０において、基地局１１１、１１２は、受信したサービスＩＤの情報、及び、配信先の緯度と経度と高度の情報を、配信情報テーブル２４１に登録する。その後、ステップＳ３１において、基地局１１１、１１２は、通信制御装置１２０に対して、データ配信要求応答（データ配信要求への応答）１０３１を返信する。データ配信要求応答１０３１は、データ配信要求１０３０によって受信したサービスＩＤの情報を含む。
【００５２】
ステップＳ３２において、通信制御装置１２０は、データ転送先の基地局１１１、１１２からデータ配信要求応答１０３１を受信する。ステップＳ３３において、通信制御装置１２０は、データ配信要求１０１１を送信した基地局１１０に対して、データ配信要求応答１０５０を送信する。データ配信要求応答１０５０は、対応するサービスＩＤ、及び、配信の要求元の無線端末１００のＩＤ情報を含む。
【００５３】
ステップＳ３４において、基地局１１０は、データ配信要求応答１０５０を受信する。ステップＳ３５において、基地局１１０は、データ配信要求１０１０の送信した無線端末１００に対して、データ配信要求応答１０５１を送信する。データ配信要求応答１０５１は、データ配信要求応答１０５０によって受信したサービスＩＤの情報を含む。
【００５４】
ステップＳ３６において、無線端末１００は、データ配信要求応答１０５１を受け取る。ステップＳ３７において、無線端末１００は、データ配信要求応答１０５１によって受信したサービスＩＤの情報をヘッダ部に設定した配信データ１０６０を在圏している基地局１１０に対して送信する。
【００５５】
ステップＳ３８において、基地局１１０は、配信データ１０６０を受信する。ステップＳ３９において、基地局１１０は、通信制御装置１２０に受信した配信データ１０６１を転送する。
【００５６】
ステップＳ４０において、通信制御装置１２０は、配信データを１０６１受信する。ステップＳ４１において、通信制御装置１２０は、データ転送先（配信先）の基地局１１１、１１２に対して、受信した配信データ１０７０を転送する。
【００５７】
ステップＳ４２において、基地局１１１、１１２は、配信データ１０７０を受信する。ステップＳ４３において、基地局１１１、１１２は、データ配信要求１０３０によって受信した配信先の緯度と経度と高度の情報を配信データのヘッダ部等を設定する。ステップＳ４４において、基地局１１１、１１２は、配信先の緯度と経度と高度の地点（又は地域）に向けて、配信先の緯度と経度と高度に関連付けられた配信データ１０９０を配信する。基地局１１１、１１２は、配信データ１０９０を配信する際に、配信先の緯度と経度と高度に基づいて、セクタ（又はセクタセル）とこれに対応する無線アナログ部を選択し、アンテナの電波送信方向および送信電力を制御してデータを送信する。セクタの数が多い場合には、アンテナの電波送信方向および送信電力を必ずしも制御しなくてもよい。
【００５８】
ステップＳ４５において、配信データが転送されている基地局のセル内に在圏する無線端末１０１は、受信した配信データに設定されている配信先の緯度Ｘ１、経度Ｙ１、高度Ｚ１を、それぞれ、無線端末１０１の緯度Ｘ０、経度Ｙ０、高度Ｚ０と比較する。無線端末１０１は、自身の緯度、経度、高度を、ＧＰＳレシーバ部４１１によって取得する。無線端末１０１の緯度と経度と高度で特定される地点が、配信先住所に対応する受信対象地域（受信対象地点）に含まれている場合、無線端末１０１は、配信データを受信する。受信対象地域をＸ１±α、Ｙ１±β、Ｚ１±γ（α、β、γは所定値）とすると、無線端末１０１は、｜Ｘ１−Ｘ０｜≦α、且つ、｜Ｙ１−Ｙ０｜≦β、且つ、｜Ｚ１−Ｚ０｜≦γの条件を満たす場合に、無線端末１０１が受信対象地域に含まれると判断してよい。なお、α、β、γが設定されずに、無線端末１０１の緯度Ｘ０と経度Ｙ０と高度Ｚ０が、それぞれ配信先の緯度Ｘ１と経度Ｙ１と高度Ｚ１に一致する場合に、無線端末１０１が受信対象地域に含まれると判断されてもよい。
【００５９】
複数の基地局１１１、１１２から送信されたデータを受信した無線端末１０１は、受信したデータを合成（ソフトコンバイン）して受信してよいし、また、電波受信状態がより良いセル（基地局）を選択してデータを受信してもよい。
【００６０】
なお、配信データの配信元である無線端末１００は、ユーザの入力などによって、受信対象地域を定めるα、β、γの値を指定し、データ配信要求１０１０に配信先の住所情報とともにα、β、γの値を含ませて送信してよい。この場合、α、β、γの値は、基地局１１０、通信制御装置１２０、基地局１１１、１１２を介して、配信先の緯度と経度と高度とともに無線端末１０１に送信される。このようにして、無線端末１００側から配信データの受信対象地域の広さを設定できる。
【００６１】
以下に、本実施形態の適用例を説明する。例えば、マンション内の管理人が、特定の階を配信先の住所として無線端末１００に入力して、無線端末１００からメンテナンスの案内などを音声データとして配信することができる。この場合、その特定の階に位置する無線端末１００は、その音声データを受信することができる。例えば、デパートの従業員が、特定の店舗が存在するフロアの住所を配信先住所として無線端末１００に入力して、無線端末１００からその住所の情報とともにその店舗の販売情報をデータとして送信することができる。この場合、そのフロアに位置する無線端末１００は、販売情報を受信することができる。
【００６２】
＜変形例１＞
前述の実施形態において、データの配信を要求する要求元である無線端末１００が、コンテンツデータ（配信データ）を保有又は生成し無線端末１００が配信元となったが、これに限定されない。即ち、データの配信を要求し配信先の住所を指定する要求元は、配信データを格納する配信元と異なってもよい。
【００６３】
例えば、通信制御装置１２０がデータベースなどにコンテンツデータを格納することによって、通信制御装置１２０が配信元となってよい。また、通信制御装置１２０は、無線端末１００以外の場所（例えば、コンテンツ配信サーバ）からコンテンツデータを受け取ってもよい。この場合、無線端末１００は、データ配信要求１０１０にコンテンツデータを特定する情報（例えばコンテンツＩＤ）を含ませて、通信制御装置１２０に送信する。通信制御装置１２０は、基地局１１１、１１２を介して、コンテンツデータを特定する情報に基づいて、コンテンツデータを無線端末１０１に配信する。
【００６４】
＜変形例２＞
無線端末１００の代わりに有線端末を使用することもできる。この場合、有線端末は、インターネット等を介して、通信制御装置１２０にデータの配信先の住所を送信してよい。通信制御装置１２０は、配信先住所の情報に基づいてデータの転送先の基地局を選択して、選択された基地局にデータを転送する。
【００６５】
＜変形例３＞
前述の実施形態において、基地局１１０、１１１、１１２、１１３は、セクタに対応した無線アナログ部を複数備えた。しかし、基地局が、送信方向を広範囲に変化させるアンテナを一つ有して、単一の無線アナログ部を備える構成を採用することもできる。この場合、基地局はセクタ（無線アナログ部）を選択せず、電波の送信方向を選択する。
【００６６】
＜変形例４＞
前述の実施形態において、通信制御装置１２０は、住所を緯度と経度と高度に対応付ける住所情報データベース（対応付け情報）を有した。しかし、各基地局が、対応するセル内において住所を緯度と経度と高度に対応付ける住所情報データベースを有してもよい。
【００６７】
この場合、通信制御装置１２０は、基地局とその住所を対応付けるテーブル（対応付け情報）を有し、通信制御装置１２０は、配信先住所から基地局を選択する。通信制御装置１２０は、選択された基地局に配信先住所の情報を送信する。選択された基地局は、住所情報データベースを参照して、配信先住所に基づいて配信先住所の緯度と経度と高度を決定し、配信情報テーブルに登録してよい。
【００６８】
−作用効果−
前述の実施形態によれば、無線端末１００（第一の端末）は、データを配信すべき配信先住所の情報を指定して送信する。通信制御装置１２０は、配信先住所の情報に基づいてデータの転送先の基地局（例えば基地局１１１等）を複数の基地局から選択して、選択された基地局にデータを転送する。無線端末１０１（第二の無線端末）は、選択された基地局のセル内において、配信先住所の情報に基づいて決定され配信先住所に対応する地点で、選択された基地局（例えば基地局１１１等）から送信されたデータを受信可能である。
【００６９】
これにより、データを配信する基地局を限定するのに加え、データを配信する地域を基地局のセル内の特定住所に限定できる。また、データを送信する地域又は地点に存在する端末の情報を特定する必要はない。特定住所に限定してデータが配信されるため、電波の受信環境の悪い端末がデータの配信する地域に含まれる可能性が低くなり、データの配信レートが高くなる。また、特定住所に対応する地域の無線チャネルを使い、その他の地域において無線チャネルを使わないため、無線資源が節約される。
【００７０】
通信制御装置１２０は、住所と少なくとも緯度、経度を対応付ける住所情報データベース１５２（対応付け情報）を格納し、配信先住所の情報に対応する緯度と経度を決定する。通信制御装置１２０は、配信先住所の情報に対応する緯度と経度を、それぞれ複数の基地局１１０、１１１、１１２、１１３の緯度と経度に対して比較することによって、転送先の基地局１１１、１１２を複数の基地局から選択する。これにより、例えば配信先住所に近くこれをカバーするセルを有する基地局が選択できる。
【００７１】
選択された基地局（例えば基地局１１１等）は、当該基地局の緯度と経度と高度、及び、配信先住所に対応する地点の緯度と経度と高度に基づいて電波を送信する方向を決定し、決定された方向にデータを無線送信する。これにより、簡便に、データの配信する地域を基地局のセル内の特定住所に限定できる。高さ（高度）も考慮して、建物内の特定階に限定したデータ配信が可能となり、限られた無線帯域をより効率的に使用することができる。また、選択された基地局は、当該基地局の緯度、経度、高度、及び、配信先住所に対応する地点の緯度と経度と高度に基づいて、データの無線送信の送信電力を決定する。これにより、基地局の送信電力を必要最小限に抑えることができる。
【００７２】
無線端末１０１（第二の無線端末）は、ＧＰＳによって得た無線端末１０１の緯度と経度と高度を、配信先住所に対応する地点の緯度と経度と高度に対して比較して、データを受信すべき受信対象地域に含まれるか判断し、無線端末１０１は受信対象地域に含まれる場合にデータを受信する。これにより、受信対象地域以外でデータが受信できなくなり、データの配信する地域を特定の住所に正確に限定できる。高さ（高度）も考慮して、建物内の特定階に限定したデータ配信が可能となり、限られた無線帯域をより効率的に使用することができる。
【００７３】
選択された基地局（例えば基地局１１１等）が複数のセクタ又は複数のセクタセルを有する場合に、この基地局は一つのセクタ又はセクタセルを選択し、選択されたセクタ又はセクタセルに対応するアンテナからデータを無線送信する。これにより、さらに正確にデータを配信する地域を限定できる。
【００７４】
無線端末１００（第一の端末）は、データを生成又は格納して通信制御装置１２０にデータを送信する。これにより、無線端末１００を配信元として無線端末１００のユーザが、配信を希望する時に（予め他所にデータを格納しておくことなく）適時にデータの配信ができる。
【００７５】
本発明は前記の実施形態やその変形例に限定されずに、その技術的な思想の範囲内において種々の変更がなしうることは明白である。
【符号の説明】
【００７６】
１００、１０１  無線端末
１１０、１１１、１１２、１１３  基地局
１２０  通信制御装置
１５１  基地局情報テーブル
１５２  住所情報データベース
２０１  制御部
２０２  ＧＰＳレシーバ部
２２０、２２１、２２２  無線アナログ部
２４０  基地局情報テーブル
２４１  配信情報テーブル
４０２  無線通信部
４０６  入力部
４０９  メモリ
４１１  ＧＰＳレシーバ部
【図１】
0005703474.tif 000002
【図２】
0005703474.tif 000003
【図３】
0005703474.tif 000004
【図４】
0005703474.tif 000005
【図５】
0005703474.tif 000006
【図６】
0005703474.tif 000007
【図７】
0005703474.tif 000008
【図８】
0005703474.tif 000009
【図９】
0005703474.tif 000010
【図１０】
0005703474.tif 000011
【図１１】
0005703474.tif 000012